(57)【要約】【課題】本発明は、ノード装置の増設または障害時に人手を要すること無くネットワーク情報を設定でき、また、ネットワークにかかる負荷を軽減できるネットワーク情報設定方法及びその装置を提供することを目的とする。【解決手段】ネットワークに建局しようとする第１ノード装置Ｎ３に対しネットワーク上で近傍に位置する既存の第２ノード装置Ｎ２に、監視制御装置１０から第１ノード装置の識別情報及びネットワーク情報を登録し、第１ノード装置をネットワークに接続して、第１ノード装置から識別情報を含む建局要求をネットワークに送信し、建局要求をネットワークより受信した前記第２ノード装置から建局要求の応答として第１ノード装置のネットワーク情報を送信し、第１ノード装置ではネットワークより受信した建局応答の前記第１ノード装置のネットワーク情報を自装置に設定して建局する。【選択図】      図６
2005005880.tif 000002
【特許請求の範囲】
【請求項１】
ネットワークに建局しようとするノード装置に自装置アドレス及び監視制御装置アドレスを含むネットワーク情報を設定するネットワーク情報設定方法であって、
ネットワークに建局しようとする第１ノード装置に対しネットワーク上で近傍に位置する既存の第２ノード装置に、前記監視制御装置から前記第１ノード装置の識別情報及びネットワーク情報を登録し、
前記第１ノード装置をネットワークに接続して、前記第１ノード装置から識別情報を含む建局要求をネットワークに送信し、
前記建局要求をネットワークより受信した前記第２ノード装置から建局要求の応答として前記第１ノード装置のネットワーク情報を送信し、
前記第１ノード装置ではネットワークより受信した建局応答の前記第１ノード装置のネットワーク情報を自装置に設定して建局する
ことを特徴とするネットワーク情報設定方法。
【請求項２】
請求項１記載のネットワーク情報設定方法であって、
前記第１ノード装置を建局したのちネットワークを介して前記監視制御装置から前記第１ノード装置を運用するためのネットワーク情報をダウンロードする
ことを特徴とするネットワーク情報設定方法。
【請求項３】
ネットワークを構成するノード装置において、
ネットワークに接続されて自装置の識別情報を含む建局要求をネットワークに送信する建局要求手段と、
ネットワークから前記建局要求の応答として自装置アドレス及び監視制御装置アドレスを含むネットワーク情報を受信し、受信したネットワーク情報を自装置に設定して建局する建局手段と、
建局したのちネットワークを介して前記監視制御装置から自装置を運用するためのネットワーク情報をダウンロードするダウンロード手段を
有することを特徴とするノード装置。
【発明の詳細な説明】
【０００１】
【発明の属する技術分野】
本発明は、ネットワーク情報設定方法及びその装置に関し、ネットワークに建局しようとするノード装置に自装置アドレス及び監視制御装置アドレスを含むネットワーク情報を設定するネットワーク情報設定方法及びその装置に関する。
【０００２】
【従来の技術】
近年、ＩＰ（Ｉｎｔｅｒｎｅｔ  Ｐｒｏｔｏｃｏｌ）サービスを提供するためのインフラストラクチャとしてイーサネット（登録商標）インタフェースおよびＬ２またはＬ３スイッチングネットワークが主流となってきている。
【０００３】
図１にネットワークの一例の構成図を示す。同図中、ネットワークは、複数のノード装置（ＮＥ）Ｎ１〜Ｎ１２から構成されており、このネットワークは遠隔監視制御装置（ＯＰＳ）１０によって監視され制御される。
【０００４】
各ノード装置Ｎ１〜Ｎ１２では監視制御装置１０との通信を行うために、ノード装置の設置時に、監視制御装置１０及び自装置のＩＰアドレスや装置名称等の建局データを設定することが必要である。建局データはノード装置を現地搬入した後の調整時に設定される。
【０００５】
図２は、従来の建局シーケンスの一例を示す。この建局シーケンスは、図１に示すノード装置Ｎ１，Ｎ２，Ｎ４〜Ｎ１１がネットワークを構成している状態で、既設のノード装置Ｎ２に新たなノード装置Ｎ３を増設しようとする場合を示している。
【０００６】
図２において、監視制御装置１０から、ノード装置Ｎ３を増設のため接続しようとするノード装置Ｎ２に対して、増設するノード装置Ｎ３のＩＰアドレスや装置名称等の建局データを登録する。
【０００７】
これと共に、現地でノード装置Ｎ３の設置工事を行い（Ｓ１）、ノード装置Ｎ３の電源を投入する（Ｓ２）。そして、ノード装置Ｎ３に端末１２を接続して、この端末１２から、ノード装置Ｎ３をノード装置Ｎ２からネットワークに接続するための建局データとして、監視制御装置１０及び自装置のＩＰアドレスや装置名称と接続先のノード装置Ｎ２のＩＰアドレスや装置名称を入力してノード装置Ｎ３のデータベースに設定する（Ｓ３）。次に、ノード装置Ｎ２，Ｎ３を接続する回線の開通設定を行う（Ｓ４）。
【０００８】
こののち、監視制御装置１０からノード装置Ｎ１，Ｎ２を通してノード装置Ｎ３に、ノード装置Ｎ３の運用データが伝送され、ノード装置Ｎ３内のデータベースに設定される。なお、運用データとは、ノード装置に接続される複数の通信端末を接続するため、ノード装置の各入出力ポートに伝送速度、フロー制御、タグ情報を設定するデータである。このようにして、ノード装置Ｎ３に接続される複数の端末はノード装置Ｎ３によりノード装置Ｎ２を通してネットワークに接続される。
【０００９】
また、例えばノード装置Ｎ３のデータベースに障害が発生した場合、現地で再度、端末から建局データをデータベースに設定し、その後、監視制御装置１０から運用データを故障したノード装置Ｎ３のデータベースにダウンロードする必要がある。
【００１０】
なお、特許文献１には、設定オペレーションシステム上で複数の伝送装置の回線設定情報を設定して仮想的に主信号路を構築し、ついで、複数の伝送装置に回線設定情報のデータベースをダウンロードすることが記載されている。
【００１１】
【特許文献１】
特開平１０−１０５４９４号公報
【００１２】
【発明が解決しようとする課題】
従来は、例えばノード装置Ｎ３の増設または障害時に保守者が現場に出向き、当該ノード装置Ｎ３に建局データを設定し、その後、ネットワークに接続して監視制御装置１０から運用データをデータベースにダウンロードして再登録を行っているため、ネットワークの保守者が現場に出向かなければならず、手間がかかるという問題があった。
【００１３】
また、ノード装置Ｎ３の入出力ポートを動作させてネットワークにリンクアップするためには、ノード装置Ｎ３とこれに対向するノード装置Ｎ２それぞれの入出力ポートに同一の伝送速度、フロー制御、タグ情報等を設定する必要があり、監視制御装置１０からノード装置Ｎ２，Ｎ３の入出力ポートに同一の情報を設定しなければならず、ネットワークにかかる負荷が大きいという問題があった。
【００１４】
本発明は、上記の点に鑑みなされたものであり、ノード装置の増設または障害時に人手を要すること無くネットワーク情報を設定でき、また、ネットワークにかかる負荷を軽減できるネットワーク情報設定方法及びその装置を提供することを目的とする。
【００１５】
【課題を解決するための手段】
請求項１に記載の発明は、ネットワークに建局しようとする第１ノード装置に対しネットワーク上で近傍に位置する既存の第２ノード装置に、前記監視制御装置から前記第１ノード装置の識別情報及びネットワーク情報を登録し、
前記第１ノード装置をネットワークに接続して、前記第１ノード装置から識別情報を含む建局要求をネットワークに送信し、
前記建局要求をネットワークより受信した前記第２ノード装置から建局要求の応答として前記第１ノード装置のネットワーク情報を送信し、
前記第１ノード装置ではネットワークより受信した建局応答の前記第１ノード装置のネットワーク情報を自装置に設定して建局することにより、
ノード装置の増設または障害時に人手を要すること無くネットワーク情報を設定でき、また、第２ノード装置から第１ノード装置にネットワーク情報が送信されるだけで済み、送信ネットワークにかかる負荷を軽減できる。
【００１６】
請求項２に記載の発明は、第１ノード装置を建局したのちネットワークを介して前記監視制御装置から前記第１ノード装置を運用するためのネットワーク情報をダウンロードすることにより、
第２ノード装置には第１ノード装置で必要とする最小のネットワーク情報情報を保持すれば良い。
【００１７】
請求項３に記載の発明は、ネットワークに接続されて自装置の識別情報を含む建局要求をネットワークに送信する建局要求手段と、
ネットワークから前記建局要求の応答として自装置アドレス及び監視制御装置アドレスを含むネットワーク情報を受信し、受信したネットワーク情報を自装置に設定して建局する建局手段と、
建局したのちネットワークを介して前記監視制御装置から自装置を運用するためのネットワーク情報をダウンロードするダウンロード手段を有することにより、請求項１の発明を実現できる。
【００１８】
【発明の実施の形態】
図３は、本発明のノード装置のネットワーク接続機能の一実施例の構成図を示す。同図中、ノード装置には、通信制御メイン部２０と通信カード部３０が設けられている。
【００１９】
通信制御メイン部２０には、監視制御装置１０との通信を制御する上位通信制御部２１と、立ち上げ処理及び初期化処理を実行する立ち上げ・初期化処理部２２と、自装置の建局データ及び運用データからなるネットワーク情報に加えて近傍のノード装置の建局データ及び運用データを保持するデータベース２３と、全ての入出力ポートの監視し制御する監視・制御部２４と、ノード装置の運用、管理、保守の制御を行うと共に建局要求及び建局応答及び建局応答受信及び建局情報設定の機能を持つＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）制御部２５が設けられている。
【００２０】
通信カード部３０には、入出力ポート３１１〜３１Ｎと、各入出力ポートの状態を監視して監視・制御部２４に通知すると共に監視・制御部２４からの指示に従って各入出力ポートを制御するポート監視・制御部３２と、各入出力ポートにおける通信制御を行う通信制御部３３が設けられている。
【００２１】
図４は、本発明のノード装置が立上げ時に実行する処理の一実施例のフローチャートを示す。まず、ステップＳ１０で立ち上げ・初期化処理部２２はデータベース２３を正常認識でき、データベース２３に建局データ及び運用データが保持されているか否かを判別する。
【００２２】
データベース２３に建局データ及び運用データが保持されていない場合、ステップＳ１１でポート監視・制御部３２は通信カード部３０に実装されている入出力ポート３１１〜３１Ｎのうちネットワークとリンクアップしているポートを検出する。
【００２３】
次に、ステップＳ１２で入出力ポート３１１〜３１Ｎのいずれかに監視制御専用のポートが指定されているか否かを判別し、指定されている場合には、ステップＳ１３で監視・制御部２４及びポート監視・制御部３２は該当監視制御専用ポート（例えば入出力ポート３１Ｎ）を立ち上げ、ネットワークとリンクアップさせる。
【００２４】
リンクアップポートの指定が無い場合は、ステップＳ１４で監視・制御部２４は通信カード部３０の実装を認識したのち、ポート監視・制御部３２を介して通信カード部３０内の入出力ポート３１１〜３１Ｎそれぞれの伝送速度、フロー制御、タグ情報等をデータベース２３に設定されているデフォルト値に設定して立上げ、リンクアップさせる。
【００２５】
次に、上記ステップＳ１１〜Ｓ１４でリンクアップポートが検出できた場合、ステップＳ１５でＯＡＭ制御部２５は制御パケット（ＯＡＭパケット）に自装置識別情報（ＭＡＣアドレス等の装置固有情報）を含め、近傍のノード装置に建局要求を送信する。そして、近傍のノード装置から建局応答があるとステップＳ１６で近傍のノード装置から上記監視制御装置１０及び自装置のＩＰアドレスや装置名称等の建局データを取得してデータベース２３に自装置の建局データを展開して保持する。
【００２６】
その後、ステップＳ１７で監視制御装置１０に自装置の運用データのダウンロードを要求して監視制御装置１０からダウンロードされる運用データをデータベース２３に保持して処理を終了する。
【００２７】
なお、最小構成データである建局データを近傍のノード装置から取得し、その後、上位の監視制御装置１０から運用データを取得してデータベースに保持する上記の方法の他に、全ての建局データ及び運用データを近傍のノード装置から取得してデータベースに保持する方法もある。
【００２８】
従来は保守者の設定した建局データに従って入出力ポートを立上げていたのに対し、本発明では入出力ポートを強制的にリンクアップし、ネットワークへの通信経路を確保する。また、建局データをネットワーク上で自ノード装置の近傍に位置するノード装置にてバックアップし、建局要求に対して対象ノード装置の建局データを応答することで障害時の建局データの自動復元を可能としている。
【００２９】
図５は、本発明のノード装置における立ち上げ状態遷移図を示す。同図中、行方向に各種イベントを示し、列方向に各状態を示す。同図中、初期状態（１）でノード装置立ち上げ（ＩＮＩＴ）のイベントが発生すると、データベース２３に建局データ及び運用データが保持されていれば展開完了待ち状態（７）に移行し、データベース２３に建局データ及び運用データが保持されていなければポートチェック待ち状態（２）に移行する。
【００３０】
ポートチェック待ち状態（２）で既にオープンしている入出力ポートがあるというイベントがあれば建局要求を行って建局データ待ち状態（４）に移行する。一方、ポートチェック待ち状態（２）で既にオープンしている入出力ポートがないというイベントがあればポートオープン処理を実行してポートオープン待ち状態（３）に移行する。
【００３１】
ポートオープン待ち状態（３）でポートオープンのイベントがあれば建局要求を行って建局データ待ち状態（４）に移行する。建局データ待ち状態（４）で建局応答のイベントがあれば、監視制御装置１０から建局データをダウンロードするリモートダウンロード（ＲＤＬ）を行ってリモートダウンロード（Ｒ−ＳＷＤＬ）待ち状態（５）に移行する。リモートダウンロード待ち状態（５）でリモートダウンロード完了のイベントがあれば展開処理を実行して展開完了待ち状態（７）に移行する。
【００３２】
また、ポートチェック待ち状態（２）、ポートオープン待ち状態（３）、建局データ待ち状態（４）、リモートダウンロード待ち状態（５）それぞれにおいて保守者が手動で指示し、監視制御装置１０から建局データ及び運用データをダウンロードするローカルダウンロード（Ｌ−ＤＬ）開始のイベントがあればローカルダウンロード（Ｌ−ＳＷＤＬ）待ち状態（６）に移行する。
【００３３】
ローカルダウンロード待ち状態（６）でローカルダウンロード完了のイベントがあれば展開処理を実行して展開完了待ち状態（７）に移行する。また、展開完了待ち状態（７）で展開完了のイベントがあれば監視制御装置１０に対して運用データダウンロードを要求して運用データ待ち状態（８）となる。そして、運用データ待ち状態（８）で運用データダウンロード完了のイベントがあれば運用状態（９）に移行する。
【００３４】
図６は、本発明の建局シーケンスの一実施例を示す。この建局シーケンスは、図１に示すノード装置Ｎ１，Ｎ２，Ｎ４〜Ｎ１１がネットワークを構成している状態で、既設のノード装置Ｎ２の近傍に新たなノード装置Ｎ３を増設しようとする場合を示している。
【００３５】
同図中、まず、監視制御装置１０から、ノード装置Ｎ３を増設のため接続しようとするノード装置Ｎ２に対して、増設するノード装置Ｎ３のＩＰアドレスや装置名称等の建局データを登録する。このノード装置Ｎ３の建局データはノード装置Ｎ２のデータベース２３に保持される。
【００３６】
次に、現地でノード装置Ｎ３の設置工事を行い、ノード装置Ｎ３の電源を投入する。このとき、ノード装置Ｎ３には装置固有のＭＡＣアドレス等が添付されている。
【００３７】
ノード装置Ｎ３の監視・制御部２４は通信カード部３０の実装を認識したのち、ポート監視・制御部３２は通信カード部３０内の入出力ポート３１１〜３１Ｎそれぞれに伝送速度、フロー制御、タグ情報等の通信制御情報が設定されているかどうかを検知する。通信制御情報が設定されていない場合には立ち上げ・初期化処理部２２は、データベース２３に入出力ポート３１１〜３１Ｎそれぞれの通信制御情報が設定されているかどうかを調べ、設定されていればその通信制御情報を入出力ポート３１１〜３１Ｎそれぞれに設定し、設定されていなければ強制的に自動モードとして入出力ポート３１１〜３１Ｎを立上げ（ポートオープン）、ネットワークにリンクアップさせる。
【００３８】
なお、自動モードではネットワークのノード装置Ｎ２と接続されるノード装置Ｎ３の入出力ポートは、対向するノード装置Ｎ２の入出力ポートに従属した伝送速度で通信を行い、リンクアップを確認する。
【００３９】
次に、ノード装置Ｎ３のＯＡＭ制御部２５は制御パケットに自装置に固有のＭＡＣアドレスを含め、近傍のノード装置Ｎ１，Ｎ２に建局要求を送信する。
【００４０】
建局要求を受信したノード装置Ｎ１，Ｎ２では、建局要求に含まれるＭＡＣアドレスからノード装置Ｎ３の建局データを保持しているか否かを判別し、ノード装置Ｎ３の建局データを保持しているノード装置Ｎ２は、ノード装置Ｎ３の建局要求に応答する。なお、ノード装置Ｎ３の建局データを保持していないノード装置Ｎ１は、ノード装置Ｎ３からの建局要求を廃棄する。
【００４１】
そして、ノード装置Ｎ２から建局応答があると、ノード装置Ｎ３のＯＡＭ制御部２５はノード装置Ｎ２に対して自装置の建局データのダウンロード（Ｒ−ＳＷＤＬ）を要求し、ノード装置Ｎ２からのＲ−ＳＷＤＬ応答でダウンロードされる自装置の建局データを取得してデータベース２３に自装置の建局データを展開して保持する。
【００４２】
展開した建局データに従ってノード装置Ｎ３は自装置と監視制御装置１０それぞれのＩＰアドレスを認識し、監視制御装置１０からノード装置Ｎ３のリンクを確立する。その後、ノード装置Ｎ３は建局完了を監視制御装置１０に対し建局完了と共に運用データダウンロード要求を行う。
【００４３】
これにより、監視制御装置１０からノード装置Ｎ１，Ｎ２を通してノード装置Ｎ３に、ノード装置Ｎ３の運用データが伝送され、ノード装置Ｎ３内のデータベース２３に設定される。なお、ノード装置Ｎ３の運用データとは、ノード装置Ｎ３の複数の入出力ポートに端末等を接続するため、ノード装置Ｎ３の各入出力ポートに伝送速度、フロー制御、タグ情報を設定するデータである。これにより、ノード装置Ｎ３はノード装置Ｎ２を通してネットワークに接続される。
【００４４】
建局による初期現調時に、監視制御装置１０から近傍のノード装置に建局データを登録し、保守者は装置電源立上げ及びポート接続を行った後、建局データの登録作業が不要になり、作業時間短縮、教育期間の削減等に効果がある。
【００４５】
ここで、ノード装置Ｎ３のデータベース２３で障害が発生した場合、ノード装置Ｎ３の監視・制御部２４は通信カード部３０の実装を認識したのち、ポート監視・制御部３２を介して通信カード部３０内の入出力ポート３１１〜３１Ｎそれぞれを強制的に立上げ、リンクアップさせる。更に、図６と同一の処理を実行することにより、増設時と同様にして、障害発生のノード装置Ｎ３のデータベース２３に建局データと運用データをダウンロードすることができる。この場合にも、保守者がノード装置Ｎ３の設置されている現地まで行く必要が無く、手間を省くことができる。
【００４６】
なお、ノード装置Ｎ３が請求項記載の第１ノード装置に対応し、第２ノード装置がノード装置Ｎ２に対応し、ステップＳ１５が建局要求手段に対応し、ステップＳ１６が建局手段に対応し、ステップＳ１７がダウンロード手段に対応する。
【００４７】
【発明の効果】
上述の如く、請求項１に記載の発明によれば、ノード装置の増設または障害時に人手を要すること無くネットワーク情報を設定でき、また、第２ノード装置から第１ノード装置にネットワーク情報が送信されるだけで済み、送信ネットワークにかかる負荷を軽減できる。
【００４８】
また、請求項２に記載の発明によれば、第２ノード装置には第１ノード装置で必要とする最小のネットワーク情報を保持すれば良い。
【００４９】
また、請求項３に記載の発明によれば、請求項１の発明を実現できる。
【図面の簡単な説明】
【図１】ネットワークの一例の構成図である。
【図２】従来の建局シーケンスの一例を示す図である。
【図３】本発明のノード装置のネットワーク接続機能の一実施例の構成図である。
【図４】本発明のノード装置が立上げ時に実行する処理の一実施例のフローチャートである。
【図５】本発明のノード装置における立ち上げ状態遷移図である。
【図６】本発明の建局シーケンスの一実施例を示す図である。
【符号の説明】
２０  通信制御メイン部
２１  上位通信制御部
２２  立ち上げ・初期化処理部
２３  データベース
２４  監視・制御部
２５  ＯＡＭ制御部
３０  通信カード部
３１１〜３１Ｎ  入出力ポート
３２  ポート監視・制御部
３３  通信制御部
Ｎ１〜Ｎ１２  ノード装置
【図１】
2005005880.tif 000003
【図２】
2005005880.tif 000004
【図３】
2005005880.tif 000005
【図４】
2005005880.tif 000006
【図５】
2005005880.tif 000007
【図６】
2005005880.tif 000008